(57)【特許請求の範囲】
【請求項１】
自動原稿搬送装置を備えたプラテンカバーを含む画像形成装置において、
前記プラテンカバーの裏面に前記自動原稿搬送装置に対応する部分を除いて弾性体を貼り付け、前記弾性体の下面にフィルム部材を一体に設け、
支持板を、前記弾性体の前記自動原稿搬送装置側の一辺に沿って取付けると共にその両端部を前記弾性体の両側外方に延出させ、
前記フィルム部材の前記自動原稿搬送装置に対応する部分は、前記支持板の両端部を介して前記プラテンカバーの裏面に着脱可能に取付けられていることを特徴とする画像読取装置。
【請求項２】
前記支持板の両端部は、プラテンカバーに設けた係止部材により係止することを特徴とする請求項１に記載の画像読取装置。
【請求項３】
前記係止部材は、プラテンカバーに一体に形成されることを特徴とする請求項１または２に記載の画像読取装置。
【請求項４】
前記支持板は、前記自動原稿搬送装置のうち前記プラテンカバーと一体形成された固定フレームの下面の開口部を覆うように着脱自在に取付けられる、請求項１〜請求項３のいずれかに記載の画像読取装置。
【発明の詳細な説明】
【０００１】
【発明の属する技術分野】
本発明は、フラットベッドスキャナーと自動原稿搬送装置を合わせて構成する画像読取装置に関し、特に、プラテンカバーの裏面に配置された弾性体を容易に剥離可能な装置に関する。
【０００２】
【従来の技術】
ファクシミリ装置や電子写真複写機または、複数の機能を有する複合機として構成される画像形成装置では、原稿の画像を読み取るための画像読取装置を設けている。前記画像読取装置は、プラテンガラス上に原稿をセットして、前記プラテンガラスの下面を移動する読取り装置により読み取る形式の、いわゆるフラットベッドスキャナー（ＦＢＳ）と、自動原稿搬送装置（以下「ＡＤＦ」と呼ぶ）とを組み合わせて構成した装置が用いられる。前記ＡＤＦでは、原稿トレイに複数枚の原稿をセットし、原稿を１枚ずつ読取部に向けて搬送しながら、画像の読取りを行うことができる。そして、前記ＡＤＦとＦＢＳの２つの読取り機構を、プラテンカバーに配置することで、シートものの原稿と、ブックものの原稿とを任意に読み取ることができる。
【０００３】
【発明が解決しようとする課題】
前記ＡＤＦとＦＢＳとを組み合わせて配置する画像読取装置においては、装置のサイズをできるだけ小さくするために、ＦＢＳのプラテンカバー部分の一側部に、ＡＤＦ機能の一部を配置することが求められる。前記プラテンカバーのプラテンガラスの上部分で、原稿を押圧する部分には白フィルムが配置されており、前記プラテンカバーの裏面には弾性体（スポンジ）が貼り付けられている。そして、前記ＡＤＦがプラテンカバーの弾性体の部分にかかっている状態に構成される場合に、前記ＡＤＦの排出ローラ装置等に対するメンテナンスを行う際には、プラテンカバーの裏面に弾性体を貼り付けている両面テープ等を剥がしてから行う必要がある。ところが、前記弾性体をプラテンカバーの裏面から剥がそうとする場合、プラテンカバーに貼り付けられているスポンジが損傷するという問題が発生するので、そのような問題に対する解決策が求められている。
【０００４】
本発明は、前記プラテンカバーの裏面から弾性体を剥がしてＡＤＦのメンテナンスを行う際の問題を解消するもので、弾性体の損傷を防止でき、容易に開口部を露出させ得る弾性体の支持手段を提供することを目的としている。
【０００５】
【課題を解決するための手段】
本発明は、自動原稿搬送装置を備えたプラテンカバーを含む画像形成装置に関する。本発明の請求項１の発明は、前記プラテンカバーの裏面に前記自動原稿搬送装置に対応する部分を除いて弾性体を貼り付け、前記弾性体の下面にフィルム部材を一体に設け、支持板を、前記弾性体の前記自動原稿搬送装置側の一辺に沿って取付けると共にその両端部を前記弾性体の両側外方に延出させ、前記フィルム部材の前記自動原稿搬送装置に対応する部分は、前記支持板の両端部を介して前記プラテンカバーの裏面に着脱可能に取付けられていることを特徴とする。したがって、前記支持板を介して弾性体をプラテンカバー裏面に配置することにより、ＡＤＦの排出ローラ装置のメンテナンス等を行う際に、前記支持板を着脱することによって、白フィルムや弾性体としてのスポンジが傷付けられることを防止でき、排出ローラ装置のメンテナンス性が向上する。
【０００６】
請求項２の発明は、前記支持板は、プラテンカバーに設けた係止部材により係止することを特徴とする。そして、ＡＤＦのメンテナンスに際して、簡単に支持体が脱着できる。請求項３の発明は、前記係止部材は、プラテンカバーに一体に形成されることを特徴とする。したがって、プラテンカバーに装備する部品の点数が増加することを防止でき、プラテンカバーの構成を簡素化できる。請求項４の発明は、前記支持板は、前記自動原稿搬送装置のうち前記プラテンカバーと一体形成された固定フレームの下面の開口部を覆うように着脱自在に取付けられることを特徴とする。
【０００７】
【発明の実施の形態】
図示される例にしたがって、本発明の画像読取装置の構成を説明するが、最初に、本発明のシート搬送装置を組み込むＡＤＦの構成を、図１ないし図３にしたがって説明する。図１に示す画像読取装置１は、ＦＢＳ（フラットベッドスキャナ）機能に対応させたプラテン３と、ＡＤＦ（自動原稿搬送装置）機能に対応させたプラテン４とを本体フレーム２の上部に配置しており、前記本体フレーム２の内部に移動可能なスキャナー装置５を設けている。前記スキャナー装置５をＦＢＳに対応させて用いる場合には、図示を省略した駆動手段により定速で移動しながら、プラテン４の上にセットした原稿の画像を読取る。また、ＡＤＦ機能を用いる場合には図の仮想線で示した位置にスキャナー装置５を固定し、ＡＤＦ機能を用いて搬送される原稿の画像を読み取るようにする。
【０００８】
前記スキャナー装置５には、原稿の画像面を照射するランプ６と図示を省略する複数のミラーと、ＣＣＤ８に光を結像させるレンズ７とを配置しており、前記ＣＣＤ８により光信号をデジタル信号に変換して、画像読取装置の画像信号処理手段にその信号の伝達を行う。前記画像読取装置に伝達される前記画像信号は、複写機の記録部において、感光体に対する画像書込み信号として用いることの他に、ファクシミリ機能を設けた画像形成装置の場合には、電話回線を通して他のファクシミリ装置に向けて送信することも可能である。
【０００９】
前記本体フレーム２の上部にはプラテンカバー１０とＡＤＦ装置２０とを一体に組み合わせて、本体フレームのリヤ側端部に配置したヒンジ手段（図示を省略）を介して開閉可能に設けている。そして、前記ＦＢＳ機能を用いる際には、プラテン３上に原稿をセットしてプラテンカバー１０の弾性体１１により押圧し、画像面をプラテン３上に密着させて画像の読取りを行わせる。また、前記プラテンカバー１０の上面には排出トレイ１３を配置し、その排出トレイ１３の上部には原稿トレイ１２を設けて、前記排出トレイ１３と原稿トレイ１２とをＡＤＦ装置２０に対応させて設けている。前記ＡＤＦ装置２０は、原稿トレイ１２に接続される原稿挿入口１４から、プラテン４に至る原稿搬送路としての直線路に接続する湾曲原稿搬送路２７と、読取部から排出トレイ１３に至る排出路２８を設けており、前記原稿搬送路内での原稿の搬送のためのローラ装置を設けている。前記湾曲原稿搬送路２７は、上部フレーム３５の外側ガイド３７と、中央部固定フレーム４０の上ガイド板４２により形成されるもので、排出路２８は固定フレーム３２と、揺動フレーム４５の下ガイド板４７とにより形成される。
【００１０】
前記原稿搬送路に配置するローラ装置は、原稿挿入口１４に対して配置するピックアップローラ２１と用紙さばき装置２２、搬送ローラ装置２３およびプラテン４の上下流部に配置する２つの読取ローラ装置２４、２５、排出口に設けた排出ローラ装置２６とから構成される。そして、前記ピックアップローラ２１により原稿トレイ１２から原稿を取り込み、用紙さばき装置２２のフィードローラ２２ａと、リタードローラ２２ｂの間で用紙さばき作用を行い、１枚に分離した原稿を原稿搬送路に向けて送り込む。前記湾曲原稿搬送路２７では、原稿を搬送ローラ装置２３により読取ローラ装置２４に向けて搬送し、プラテン４の下流部に配置する読取ローラ装置２５との間で原稿を定速で搬送しながら、プラテン４の位置に固定されているスキャナー装置５により画像の読取りを行う。読取りが終了した原稿は、前記読取ローラ装置２５により排出ローラ装置２６に送られ、前記排出ローラ装置２６により排出トレイ１３に排出される。
【００１１】
前記ＡＤＦ装置２０は、図２、３に示すように構成されているもので、図２には図１と同様に、ＡＤＦ装置２０を使用状態に組み立てたものを、図３には各構成部材を揺動させた状態の説明図として示している。前記ＡＤＦ装置２０においては、本体フレームの上部でプラテン４の両側に配置される固定フレーム３０と排出ガイド３４に対して、上部の各構成部材が揺動可能に設けられている。前記揺動部材のうち、最上部に位置される上部フレーム３５は、支軸３６を中心にして反時計方向に揺動可能であり、前記上部フレーム３５の内面には湾曲原稿搬送路２７の外側ガイド３７が設けられる。また、前記上部フレーム３５の上面には、上部カバー３８が図示を省略する接続手段を用いて着脱可能に配置されており、前記上部カバー３８を上部フレーム３５から取り外すことにより、上部フレーム３５に設けているローラ装置等に対するメンテナンスを、装置の上部から行い得るようにする。
【００１２】
図３に示すように、前記ＡＤＦ装置２０においては、原稿搬送路の内側ガイド板４２を設ける中央部固定フレーム４０は、読取ローラ装置２４の駆動ローラ２４ｂの軸４１を入力軸として設けている。前記中央部固定フレーム４０の他端部には、揺動フレーム４５を支軸４６を介して揺動可能に設けている。前記支軸４６は搬送ローラ装置２３の駆動ローラ２３ｂの軸を用いていることができるもので、前述したようにして、読取ローラ装置２４の駆動軸２４ｂに対して、中央部固定フレーム４０に配置される入力軸４１から駆動伝達系（図示を省略）を介して、揺動フレーム４５の駆動軸４６に駆動伝達し、前記揺動フレーム４５に設けている用紙さばき装置のリタードローラ２２ｂを駆動するようにしている。
【００１３】
また、前記入力軸４１には、読取部に設けるプラテン４に対して原稿を案内するために、ガイド板４４を配置するが、前記ガイド板４４は前記入力軸４１を介して揺動可能に設けられた揺動ガイド部材４３に設けられている。前記揺動ガイド部材４３は、図２にも示されるように、入力軸４１に対してねじりコイルバネ（図示を省略）によりプラテン４に対して揺動可能に支持されている。そして、ガイド部材４３の側端部に設けられた突起（図示を省略）により、原稿搬送路を確保している。図３に示すように、前記揺動ガイド４３はプラテン４から離間できるが、前記コイルバネでプラテン４側に付勢されているので、自由度が制限される状態に設けられている。したがって、前記揺動ガイド部材４３が図２に示されるように、動作位置にセットされた状態では、ガイド板４４がプラテン４に対して離接可能な状態に支持される。
【００１４】
前記読取部のプラテン４の下流部に配置される読取ローラ装置２５においては、固定フレーム３２にピンチローラ２５ａを配置し、ＡＤＦ装置のフレームの固定位置に配置する駆動軸５１を介して、駆動ローラ２５ｂを配置している。前記駆動軸５１には、ガイド板５２を設けた排出側ガイド部材５０を揺動可能に支持しているもので、図３に示すように、排出側ガイド部材５０を駆動軸５１を中心にして揺動させることにより、プラテン４の上面を開放できるようにする。
【００１５】
なお、前記中央部固定フレーム４０に対して、入力軸４１を中心に揺動可能な揺動ガイド部材４３は、図の鎖線で示す動作位置から、実線で示す揺動位置との間で揺動可能である。また、固定フレーム３２に対応させて配置している排出側ガイド５０は、図の鎖線で示す動作位置から、実線で示す開かれた位置との間で揺動可能に設けられ、前記揺動ガイド４３と排出側ガイド５０をそれぞれ揺動させた状態で、原稿のジャム処理や、プラテン４の周囲の部材に対するメンテナンス等を行うことができるようにする。さらに、前記排出側ガイド部材５０に設けたガイド板５２は、前記揺動ガイド部材４３のガイド板４４と組み合わせて、プラテン４上を移動する原稿の上面に対する案内作用を行い、排出路に向けて案内できるように構成することができる。
【００１６】
前記図２、３に示すように、ＡＤＦ装置２０においては、湾曲原稿搬送路２７内部で用紙搬送作用が良好に行われない時には、上部フレーム３５を支軸３６を中心にして開放することにより、ジャム紙の除去等の動作を行うことができる。また、プラテン４に対する読取部や排出路２８での用紙のジャム等に際しては、上部フレーム３５を開いてから、図３に示すように、中央部固定フレーム４０に対して揺動フレーム４５を支軸４６を中心に、反時計方向に大きく揺動させて開放する。さらに、排出側ガイド部材５０を駆動軸５１を中心にして開放することにより、任意のメンテナンスを行うことができる。そして、ジャム紙の除去や、ローラ装置に対するメンテナンスが終了すれば、各構成部材を図２に示すように組み合わせて設定することで、ＡＤＦ装置２０を使用可能な状態に戻すことができる。
【００１７】
前述したように構成された装置において、プラテンカバー１０に設けた弾性体１１の下面（原稿押圧面）には、白フィルム１５が貼付けられており、前記白フィルム１５により原稿の裏面をカバーすることで、原稿の背景に汚れが生じないようにしている。そして、ＦＢＳ機能を用いて原稿の画像を読み取る際には、プラテン３にセットした原稿を、前記所定の厚さを有する弾性体１１を介して、白フィルム１５により押圧することにより、読取り作用を良好に行い得るようにしている。
【００１８】
なお、前述したように構成してなるＡＤＦ２０において、原稿搬送路の上部の搬送ローラ等に対するメンテナンスは、前記図３に示すようにして、各フレームを開くことにより行い得るものである。ところが、原稿搬送路の下部の固定フレーム３２に配置するローラ部材に対しては、前記図３のように、各フレームを開いた状態で、上方からメンテナンスを行うことができないという問題がある。そこで、本実施例においては、図４、５に説明するように、プラテンカバー５と一体成形した固定フレーム３２の下面に開口部３２ａを設け、プラテンカバー１０とＡＤＦ２０とをリヤ側のヒンジを介して一体に揺動させる。この状態で弾性体１１のＡＤＦ側の端部を係止部材１８から係止を解除することにより、前記開口部３２ａが露出するようにして、メンテナンス作業を行い得るように構成する。
【００１９】
図４にはプラテンカバー１０の底面図を、図５には図４のＸ−Ｘ線での断面図を示しているもので、前記図４、５に示すように、プラテンカバー１０の下面の原稿の裏面に対応する位置に配置する白フィルム材１５は、弾性体１１の下面（プラテン側の面）に一体に設けている。また、前記弾性体１１のＡＤＦ側の一辺部に支持プレート部材１７を設け、前記支持プレート１７により開口部３２ａを覆うようにして弾性体１１および白フィルム１５を支持している。そして、前記白フィルム１５にたるみが生じないように保持される。
【００２０】
前述したように弾性体１１および白フィルム１５のＡＤＦ側に、支持プレート部材１７を介して形成し、前記支持プレート部材１７が固定フレーム３２の開口部３２ａを覆うようにしたことにより、プラテンカバー１０と一体に設けられたＡＤＦ装置２０をリヤ側のヒンジを介して揺動させて、支持プレート部材１７の係止部材１８に対する係止状態を解除して、前記開口部３２ａを露出するようにし、固定フレーム３２に配置するローラ等のメンテナンス等の作業を行うことができる。そして、前記メンテナンスが終了すると、白フィルム１５の端部の支持プレート部材１７を係止部材１８に係止して、前記フィルム部材１６をたるみが生じないように取付け、ＦＢＳ機能を用いた原稿の読取りの動作に対処させることができる。
【００２１】
なお、前記係止部材１８に係止・保持させる支持プレート部材１７が、その端部で弾性体１１および白フィルム１５を緊張させる状態に保持するために、前記支持プレート部材１７は係止部材１８に対して移動不能な状態に保持させることが要求される。そこで、例えば、係止部材１８のプレート係止部に、スプリングで付勢されるボール等の任意の係止手段を設けておき、支持プレート部材１７を係止した際に固定できるようにすることで、弾性体１１および白フィルム１５にたるみが生じないようにすることができる。また、前記支持プレート部材１７に対する係止保持手段としては、布ファスナー等のような、従来公知の着脱可能な任意の係止手段を設けることもできる。
【００２２】
【発明の効果】
本発明の装置は、前述したように構成したものであるから、プラテンカバーの裏面に白フィルムを貼り付けて設け、前記白フィルムの前記自動原稿搬送装置に対応する部分に、支持板を取付けたことにより、ＡＤＦの排出ローラ装置のメンテナンス等を行う際に、前記支持板を介してフィルム部材を着脱するので、フィルム部材やスポンジが傷付けられることを防止でき、排出ローラ装置等のメンテナンス性が向上される。また、前記支持板は、プラテンカバーに設けた係止部材により係止するので、ＡＤＦのメンテナンスに際して、簡単にフィルム部材とともに弾性体を脱着できる。さらに、前記係止部材は、プラテンカバーに一体に形成されることから、プラテンカバーに装備する部品の点数が増加することを防止でき、プラテンカバーの構成を簡素化できる。
【図面の簡単な説明】
【図１】  ＡＤＦを組み合わせた画像読取装置の説明図である。
【図２】  ＡＤＦの構成を示す説明図である。
【図３】  ＡＤＦの分解説明図である。
【図４】  プラテンカバーに設けるフィルム部材の説明図である。
【図５】  図４のＸ−Ｘ線での断面図である。
【符号の説明】
１    画像読取装置、  ２    フレーム、  ３・４    プラテン、
５    スキャナー装置、  ６    ランプ、  ７    レンズ、  ８    ＣＣＤ、
１０    プラテンカバー、  １１    弾性体、  １２    原稿トレイ、
１３    排出トレイ、  １４    原稿挿入口、  １５    白フィルム、
１７    支持プレート部材、  １８    係止部材、  ２０    ＡＤＦ、
２１    ピックアップローラ、  ２２    用紙さばき装置、
２３    搬送ローラ装置、  ２４・２５    読取ローラ装置、
２６    排出ローラ装置、  ２７    湾曲路、  ２８    排出路、
３０・３２    固定フレーム、  ３１・３３    ガイド板、
３２ａ    開口部、  ３４    排出ガイド、  ３５    上部フレーム、
３６    支軸、  ３７    外側ガイド、  ３８    上部カバー、
４０    中央部固定フレーム、  ４１    支軸、  ４２    ガイド板、
４３    揺動ガイド、  ４４・４７    ガイド板、  ４５    揺動フレーム、
４６    支軸、  ５０    補助ガイド。
【図１】
0004253993.tif 000002
【図２】
0004253993.tif 000003
【図３】
0004253993.tif 000004
【図４】
0004253993.tif 000005
【図５】
0004253993.tif 000006